(57)【特許請求の範囲】
【請求項１】
スクラバ塔（１０）を有する燃焼排ガスの浄化装置であって、該スクラバ塔（１０）が、
１．１  燃焼排ガス入口（１２）及び燃焼排ガス出口（１４）と、
１．２  液体入口（１８）及び液体出口と、
１．３  燃焼排ガスと海水ベースの液体とのための、前記燃焼排ガス入口と前記液体入口（１８）との間の接触領域（１０ａ）と、
１．４  前記液体のための、前記接触領域（１０ａ）の下の収液槽（３０）であって、底壁（３４）又は側壁（３４ｆ；３４ｓ）と、曝気手段（３２）と、を設けられた前記収液槽（３０）と、
を備え、
１．５  前記底壁（３４）又は前記側壁（３４ｆ；３４ｓ）のうちの少なくとも１つは、前記液体に対して透過性を有する、それぞれが０．５ｍ２未満の断面積を有する複数の貫流開口部を有する有孔のプレート又は球充填として設計されている、
燃焼排ガスの浄化装置。
【請求項２】
前記収液槽（３０）の上に配置された少なくとも１つの分配器（２０）であって、該分配器（２０）を通じて、又は前記分配器に隣接して、前記液体が下方に前記収液槽（３０）の中へ流れることができる、前記分配器（２０）をさらに備えることを特徴とする請求項１に記載の燃焼排ガスの浄化装置。
【請求項３】
前記分配器（２０）は、前記スクラバ塔（１０）の対応する内側水平断面の少なくとも５０％に亘って延在することを特徴とする請求項２に記載の燃焼排ガスの浄化装置。
【請求項４】
前記分配器（２０）は、
‐有孔のプレート
‐貫流開口部（２６）を有する３次元形状物
‐球充填
のうちの少なくとも１つに設計されていることを特徴とする請求項２に記載の燃焼排ガスの浄化装置。
【請求項５】
前記分配器（２０）は１つ以上の貫通孔を、前記スクラバ塔（１０）の内壁までの所定の距離で前記分配器の境界領域又は端部に有し、それによって前記液体のための１つ以上の貫流開口部（２０ａ）を形成していることを特徴とする請求項２に記載の燃焼排ガスの浄化装置。
【請求項６】
前記分配器（２０）は、前記燃焼排ガス入口（１２）の下に配置されていることを特徴とする請求項２に記載の燃焼排ガスの浄化装置。
【請求項７】
前記収液槽（３０）は液体を、前記槽（３０）の第１の側に隣接する第１の部分（５０ｆ）から前記槽（３０）の前記第１の側に対向する前記槽（３０）の第２の側に隣接する第２の部分（５０ｓ）に搬送する流路に流体的に接続された状態で配置されていることを特徴とする請求項１に記載の燃焼排ガスの浄化装置。
【請求項８】
前記収液槽（３０）は、前記流路（５０）の上に配置されていることを特徴とする請求項７に記載の燃焼排ガスの浄化装置。
【請求項９】
前記流路（５０）は、前記収液領域の下に、前記第１の部分及び前記第２の部分（５０ｆ、５０ｓ）と比較して深くされた底部拡張部を有することを特徴とする請求項７に記載の燃焼排ガスの浄化装置。
【請求項１０】
前記収液槽（３０）は前記流路（５０）の一部であることを特徴とする請求項７に記載の燃焼排ガスの浄化装置。
【請求項１１】
前記液体は海水であることを特徴とする請求項１に記載の燃焼排ガスの浄化装置。
【発明の詳細な説明】
【技術分野】
【０００１】
本発明は、スクラブ塔、洗浄塔、又は吸収塔とも称されるスクラバ塔を有する、燃焼排ガス浄化装置に関する。
【０００２】
本発明は特に、燃焼排ガスからの不要な化合物を吸収するための液体として海水を使用して作動する浄化装置及び対応するスクラバ塔に関する。このことが、この液体（流体）が吸収剤とも称される所以である。
【背景技術】
【０００３】
燃焼排ガスは、発電所に由来する場合があり、スクラブ塔の下部において、対応する入口を介してスクラブ塔の中に導入され、さらに燃焼排ガス出口へと上方に案内される。スクラバ塔を通じたこの経路に沿って、燃焼排ガスは流体上吸収剤と、多くは対向流の形で接触させられる。したがって、吸収剤はスクラバ塔の中に、燃焼排ガス入口より上、例えばスクラバ塔の上端部において導入されて、燃焼排ガス入口と吸収剤入口との間に、吸収ゾーンとしての区画を形成し、この区画は前記液体と前記燃焼排ガスのための接触ゾーンの役割を果たす。
【０００４】
また、吸収ゾーンの上端部にノズルを配置し、それによって流体吸収剤が細かい粒子（液滴）として吸収ゾーン中にスプレーされて、浄化される燃焼排ガスとの好ましく大きな反応表面を提供することが知られている。
【０００５】
スクラブ流体とも称される吸収剤、例えば海水は、硫黄酸化物及びＣＯ２のような燃焼ガスの様々な化合物／不純物を吸収するか、及び／又は硫黄酸化物及びＣＯ２のような燃焼ガスの様々な化合物／不純物と化学的に反応することができる。
【０００６】
以下において、用語「新鮮な液体」はスクラバ塔の中に導入される（約７．５〜８．５のｐＨ値を有する）流体吸収剤に対して使用され、一方で用語「使用された液体」は、燃焼排ガスと接触後の（約３〜４にｐＨが下がった）流体とみなされる。以下において、そのような液体として海水が言及される限り、これは、好ましい実施形態ではあるが、好適な液体の一つの実施形態に過ぎないことが理解されるべきである。
【０００７】
上述されているような装置及びスクラブ塔が、特許文献１から既知である。
【０００８】
さらに、いわゆる液溜め（sump）をスクラブ塔の下部又はスクラブ塔の下に配置することが特許文献２から知られている。使用された液体（海水）は液溜め中に集められ、液溜め内におけるその滞留時間の間、爆気され、次いで、海に戻される前の後処理のために、さらなる（後の）沈殿槽に移送される。
【０００９】
上述の一般的なタイプの装置は過去数年にわたってその効果を実証されてきたが、燃焼排ガスの浄化度及び海に戻される前の吸収剤の品質を含む、そのプロセスを改良する継続的な要求がある。
【発明の概要】
【発明が解決しようとする課題】
【００１０】
本発明は、以下の知識から開始されている。
【００１１】
それによって液体がスクラブ塔中にスプレーされるノズルは通常、このスクラブ塔の内側断面の全体に亘って配置されている。燃焼排ガスは同じ空間中に吹き込まれ、それによってスクラブ塔の内部容積のほぼ全体を吸収ゾーンとして使用することができる。この実施形態は以下にさらに記載されるが、本発明の意図において、ノズルとの用語は洗浄塔において、それによって液体を散布することができるすべての種類の手段を表している。
【００１２】
さらに、本発明は、液体が（以下に記載されるように）スプレーされる吸収装置に限定されることはなく、いわゆる充填槽のような他の方法によって燃焼排ガスに接触している液体吸収剤をもたらす吸収装置にも関する。
【００１３】
ほとんどの場合において、燃焼ガスの入り口はスクラブ塔の一方の側に設けられ、それによって、燃焼排ガスが上方に導かれる前に強い水平方向の気流成分を生じさせる。
【００１４】
したがって、下方に流れる液体吸収剤は上述の強い燃焼排ガスの流れによって、ほとんどの場合、スクラブ塔の下端部において少なくとも部分的に押しのけられる。
【００１５】
言い換えると、吸収区画において、液体は程度の差はあれ、スクラブ塔の内側断面及び容積の全体に亘って散布されるが、燃焼排ガスは液体の流れを、特に燃焼排ガス（生ガス）の入り口の周り及びさらに下方に向かって移動させる場合がある。これは、燃焼排ガスの入り口が別様に設計されている、例えばスクラブ塔に対して周囲に設計されている場合にも同様に当てはまる。
【００１６】
この流れの挙動の結果として、従来技術の装置における、液溜めに入る使用された液体の濃度は、液溜めの異なる領域では特に不定に異なっている。すなわち、液溜め内の使用後の吸収剤の組成は、液溜めの異なる領域で異なっており、決して特定することはできない。したがって、処理手段、例えば爆気手段の効率は一定ではなく、常に満足のいくものとはいえない。液溜め内の異なる領域からの液体は、液溜めを出る前に別様に処理されてきたので、このことは液体が液溜め中で爆気された後にも当てはまる、つまり、液体に対する後の処理手段が、液体が海に戻される前の液体（海水）の品質に対してかなり重要となる。そのようなさらなる処理に対する複雑な装置及び追加的なコストは不利となる。
【００１７】
このことは、新鮮な海水がそれを通って導入されて液溜め中の使用された吸収剤液と混合される、液溜めを通じて延びる流路を含む装置にも同様に当てはまる。
【課題を解決するための手段】
【００１８】
この欠点を克服するために、本発明は、スクラバ塔を有する燃焼排ガス浄化装置に権利を主張し、このスクラバ塔は、
‐燃焼排ガス入口及び燃焼排ガス出口
‐液体入口及び液体出口
‐燃焼排ガス入口と液体入口との間の燃焼排ガスと液体とのための接触領域
‐接触領域の下に位置する液体のための収液槽
を備え、
‐この収液槽には、曝気手段と、液体に対して透過性を有する底壁又は側壁が設けられている。
【００１９】
収液槽は、従来技術による装置による液体用液溜めと同様に装置の中に配置されているが、収液槽は今や多くの異なる課題を果たし、それによって曝気のステップを改善する。
【００２０】
既知の液溜めは、
‐曝気された液体がポンプで汲みあげられて、液溜めの壁部部分から延びるパイプ又は同様の設備を介してさらなる処理ステップへ送られる、小型の液溜め、又は
‐液溜めを通過する新鮮な海水を有する、連続する流路の一部
のいずれかである。
【００２１】
新しい装置は、曝気手段を備えた収液タンクを提供し、この収液タンクは、このタンク内にて処理される液体に対して透過性を有する底部を有する。言い換えると、収液タンクの底部（部分的に又は完全に）は、液体のための流出領域として使用される。これによって、タンク内の液体のほぼ均一な垂直方向の流れを達成することができ、このタンクの水平断面全体に亘る非常に均一な曝気処理が可能となり、不規則な流れが生じる既知の液溜めの第一の代替形に比較して、液体の均質性及び品質を改善する。
【００２２】
従来技術の液溜めの第二の代替形は、液溜めの容積全体に亘る、加えられた新鮮な液体及び既に液溜め内に存在する使用された液体の不規則な散布及び液溜め中の連続的な流れという欠点を有している。新しい設計は、収液タンクの、液体に対する透過性を有する少なくとも１つの壁部を提供し、それによって流速を減少させるとともに液体の望ましくない流れを回避する。
【００２３】
これら効果は、有孔のプレート、貫流開口部を有する３次元形状、球充填、又はその種の構造の少なくとも１つに従って設計された底壁又は側壁によって特に達成される。上述の効果は、液体に対する透過性を有する面積が大きいほど最大化される。最も好適な実施形態は、全体が液体に対して透過性を有する底部、又は対応して、全体が、それを通じて構造物が液体が流れるのを可能にする、タンクの壁部を提供する。
【００２４】
本発明は、１つの開口部、パイプ、流路、又はその種のものによって特徴づけられた既知の装置から、流出領域としての液体に対して透過性を有する遮蔽部（壁、底）を明確に区別している。言い換えると、本発明は、従来技術の液溜めの、通常は１つの比較的大きな出口開口部に比較して、それぞれが非常に小さい開口部から成る断面を有する、非常に多くの出口開口部を有する非常に大きな流出領域を提供する。
【００２５】
典型的には、本願による貫流開口部は、それぞれが1ｍ２未満の、特に＜０．７又は＜0.5、又は＜0.3、または＜0.1ｍ２の断面積を有し、これは、従来技術の（数ｍ２の範囲にある）液溜めの出口開口部に比べると約１００〜１０００倍小さい。本発明による装置の流出開口部は、それぞれの開口部の上に所定の距離を隔てて配置されたキャップによって覆うことができ、それによって使用された海水がキャップと開口部との間を通過する間隔を取っている。
【００２６】
この装置のスクラブ塔は、液体入口の下方に所定の距離で配置されるとともに前記スクラブ塔の内側水平断面の少なくとも５０％に亘って延在する少なくとも１つの分配器をさらに備えることができ、これら分配器を通じて、又はこれら分配器に隣接して液体が下方に流れることができる。
【００２７】
重要な特徴は、液体の入り口領域の下方の少なくとも１つの分配器の設計と配置とにある。例えば、液体は洗浄塔の接触領域内に、洗浄塔内に水平面に亘って並べて配置された複数のノズルによってスプレーすることができる。
【００２８】
液体入口と分配器との間の距離は、装置の特定の寸法に従って選択することができる。
【００２９】
分配器は、（大部分が液滴として、又は噴霧として存在する）液体の流れを、その進路上で液体出口に向けて、すなわち洗浄塔の下端部に向けて及び／又は後続の処理手段に向けて転換させる（そらす）役割を有する。この点において、スクラブ塔の下部、例えばスクラブ塔の下部の燃焼排ガス入口の下に配置されている分配器を有する装置が好ましい。
【００３０】
分配器は、前記収液タンク（収液領域）の上に配置されなければならない。
【００３１】
用語「洗浄塔の下端部」は、収液領域が洗浄塔の一体部分ではないが、洗浄塔の下に分離した構成要素として配置されている実施形態を含む。
【００３２】
分配器は設備とすることができ、
‐（Ａ）少なくとも大部分が液体に対して不透過性を有する、及び／又は
‐（Ｂ）少なくとも大部分が液体に対して透過性を有する。
【００３３】
「大部分が不透過性」とは、全液体容量の＞５０％、例えば＞７５％又は＞９０％が分配器の境界領域を通じて、又は分配器の外側リムと対応するスクラブ塔の内壁の間を流れることを意味する。「大部分が透過性」とは、全液体容量の＞５０％、例えば＞７５％又は＞９０％が分配器の全体に亘って貫通することを意味する。
【００３４】
（Ａ）によれば、液体は分配器の表面に沿って、洗浄塔の対応する内壁に対して所定の距離に配置されて液体のための貫流開口部を提供する分配器のリム（外周）へ流れ、次いで、さらに前記開口部を介して収液領域の中に流れる。同一の効果は、偏心して、すなわち分配器の限られた境界領域の中に、配置された１つ以上の大きな貫通孔を有する分配器によって達成することができる。両実施形態は、使用された吸収液を１つ又はいくつかの大きな開口部に向かって導くことを可能にし、その大きな開口部は洗浄塔の内壁の近傍に配置されており、それを通じて液体は（１つの）ほぼ共通の流れとして装置の後続の区画又は処理ステップそれぞれに流入する。
【００３５】
分配器のこの偏心して配置された貫流開口部から出発して、使用された液体の共通の流れは、海に帰る途中で均一的に処理することができる。このことは、曝気手段を設けられ、よって曝気槽（曝気タンク）の機能を果たす収液槽によってさらに説明される。すべての使用された液体が曝気槽を通じた同じ経路を取ることができるので、使用された液体は、非常に一様な方法で曝気され／処理される。曝気ステップは改善され、したがって液体の質も改善される。これら利点は、液体の流れがほぼ水平である曝気槽の実施形態において特に達成することができる。
【００３６】
（Ｂ）によれば、分配器は液体に対して透過性を有し、例えばその本体の全体に亘って分散された多数の貫流孔を設けられている。使用された海水は、孔を通過する前に分配器の上面の全体に拡げられ、後続の曝気槽の中に貫通する。孔がほぼ均一な態様で分配器に配置されている場合、使用された海水は曝気槽（または他の処理手段）に、スクラブ塔の断面に亘って非常に均一な態様で入る。したがって、特に曝気槽が、液体が槽を下方に向かって、例えば透過性を有する底部を介して出る、すなわち液体の流れがほぼ鉛直方向であるように設計されている実施形態においては、液体は前記曝気槽内で均一に処理される。
【００３７】
いずれにしても、目的は、少なくとも１つの分配器の下の、又は後の処理ステップのいずれにおいても、使用された海水の改善された均一な処理を達成することである。
【００３８】
分配器は、以下を促進する。
‐前記分配器領域の上、前記分配器領域に沿った、及び／又は前記分配器領域の下のすべての場所において、使用された液体にほぼ均一な成分を与える。
‐装置の、曝気が行われる部分に入る前に、吸収剤中に存在するガスの気泡を開放する。
‐液体の流れの速度を低下させ、それによって液体の望ましくない流れ（流れプロファイル）を避ける。
‐使用された吸収剤の空気とのほぼ均一な反応を達成する。ＣＯ２は海水から外へより効果的に揮散して、炭酸を除去し、液体のｐＨ値を上昇させる。
‐爆気された吸収剤の組成と質とを均一化させる（それによって、さらなる処理手段の必要性又はインテンシティを低下させる）。
‐後に海に放水される海水の一般的な質を改善する。
【００３９】
いくつかの分配器を並べて、及び／又は上下に配置することができる。
【００４０】
液体に対する透過性は、（Ｂ）に従う分配器を設計するための決定的に重要な要因である。１つの選択肢は有孔のプレートを使用することであり、ここで用語「有孔」は、液体が貫流する孔、スリット、などを特徴としている。プレートは、平面であっても構造化されていてもよい。構造化された実施形態は、貫流開口部を有する３次元形状をもたらす。
【００４１】
別の可能性は、球充填に従う分配器を設計することである。この設計は、座標系のすべての３つの次元における液体の分配（広がり）を増加させる。
【００４２】
上述に説明したように、スクラブ塔内で下方に流れる液体吸収剤は、前記強い燃焼排ガスの流れによって押しやられる（移動される）場合がある。この場合、液体は、最初は分配器の非常に限られた部分（領域）のみに接触する。後続の液体の流れは液体を分配器の他の部分に亘って拡げるが、分配器が、傾斜している及び／又は振動分配器を有する実施形態を含んで可動である場合には、分配器に沿った液体の分配を支援する場合がある。
【００４３】
本発明によれば、（いかなる分配器もプロセスを改善するが）上述の利点を最大限に達成するためには、分配器はスクラバの内側断面積の少なくとも５０％に亘って延在すべきである。実施形態（Ｂ）によれば、分配器は典型的にはスクラバ塔の＞６０％、７５％、＞９０％若しくは全体にわたって延在する一方、実施形態（Ａ）によれば、最大では略９０％であり、液体の必要な体積を通過させるために典型的には＜８５％、＜８０％、７５％の値をとる。
【００４４】
この明細書においては、典型的な装置の以下の寸法に注意すべきである。
‐スクラブ塔の高さ：１５〜４０ｍ
‐スクラブ塔の内側の直径：５〜２５ｍ
‐スクラブ塔を貫流する燃焼排ガス：１０，０００〜４，０００，０００ｍ３／ｈ
‐スクラブ塔を貫流する液体（吸収剤）：５，０００〜８０，０００ｍ３／ｈ
【００４５】
すべての実施形態は、液体内のすべての気泡が、液体が曝気領域及び／又はさらなる処理ステップに入る前に逃げる可能性を提供する。分配器は液体又は液滴をバラバラに分割し、それによって望ましくないガス状含有物を開放する。これも同様に分配器の重要な特徴である。
【００４６】
前記分配器（仕切り板、拡散手段）の液体流れの中への設置によって達成することができる他の重要な利点は、液体流れの流速を遅くすることであり、すなわち分配器は遅延器として作用する。
【００４７】
液体は、分配器の下の部分に、従来技術に比べてより定義された一定の速度で入ることができる。
【００４８】
少なくとも１つの分配器を通過した液体は、液体中に空気（酸素）を供給するための曝気手段を備えた収液タンクの中に流入する。
【００４９】
前記透過性を有する底部又は壁部内の出口開口部の個々の及び合計の断面積及び数を含む特定の設計は、装置が作動しているときの、槽を通過する液体の総量に従って計算される。
【００５０】
対応するパラメータは、水位が分配器に達しているか、又は分配器が液体中に浸漬している状態を除いて、分配器の下に配置される液体の液位（槽中の液体の解放された上面）が装置の効率に特徴的に影響を与えないように選択することができる。
【００５１】
本発明によれば、曝気手段は槽の一部に、槽の底部に近接して、又は槽の底部中に配置することができる。
【００５２】
曝気手段の構成と設計は重要ではない。有孔のパイプ、エアノズル、プレート状曝気装置などを使用することができる。
【００５３】
本発明の装置における曝気槽の配置及び機能が既知の装置のいわゆる液溜めを置き換えることが上述から明確となる。
【００５４】
この曝気処理の後に、液体はさらなる処理に送られるか、又は、液体として海水が使用される場合には海に戻すことができる。
【００５５】
この明細書において、本発明は所定の実施形態を提供し、実施形態によれば、収液槽（収液領域）は、流体を槽の第１の面に隣接する第１の部分から前記第１の面に対応する第２の面に隣接する第２の部分へ搬送する流路に流体的に接続して配置される。この流体は、スクラブ塔内で吸収目的に使用されるような新鮮な液体とすることができる。
【００５６】
従来技術の装置から知られているように、吸収剤液は流路の液体からとられ、上述のノズルへと上方へポンプで汲みあげられ、一方で残りの流路の流体は、使用され、かつ処理された（浄化された）吸収剤液が流路に再度導かれる前に、スクラブ塔を通過する。
【００５７】
本発明の別の実施形態によれば、前記槽（一般的には収液領域）は流路の上に配置されて、曝気された液体は、重力のみによって、及び／又は前記流路を通じて流れる流体によって引き起こされた圧力／吸引力のもとで、流路の中に戻される。この場合、分配器は好ましくは（Ｂ）に従って設計される。
【００５８】
この設計は、流路がその第１及び第２の部分と比較して前記槽の下に深められた底部部分を有する実施形態を含む。言い換えると、流路の底部は、曲がりくねった携帯で槽の下に傾斜している。
【００５９】
これら新しい設計は、一種のバイパス流路によって特徴づけられており、このバイパス流路から新鮮な液体を取り、スクラブ塔の中にポンプで汲みあげることができ、この新鮮な液体は流路の中に戻されるが、装置の曝気ゾーンを横切ることはない。
【００６０】
従来技術による装置は、液溜めを通じて延びる流路によって特徴づけられた、いわゆる「延びる流路」を有して設計されている。この設計は、簡単な構造という利点を有するが、新鮮な液体（海水）が液溜めの中で使用された液体に加えられ、それによって前記（混合された）液体のより大きな体積を前記曝気手段によって処理しなければならず、このことはさらなるエネルギーの要求とコストとを生じさせ、曝気ステップの効率を低下させる。これら欠点は本発明によって、特定の設計及び分配器の配置とは無関係に軽減されるか、または克服することができる。この技術は、タイプＡの分配器との組み合わせの形で特に有利であり、使用された海水が前記分配器によって、スクラブ塔の下端部において、又はスクラブ塔の下において、前記流路の液体収液領域の中への入り口領域に向かって方向を変えられるように配置されている。この場合、収液槽／収液タンクには液体に対して透過性を有する対応する壁部が設けられ、それによって液体はほぼ水平な流れ方向に槽を通じて流れることができ、それによって液体は層を通じて流すことができる。言い換えると、収液領域は流路の一部となる。
【００６１】
使用された液体（吸収剤海水）は依然として硫黄化合物及び大量のＣＯ２を含んでいる。大量のＣＯ２は、空気中に吹き込んで炭酸を除去することによって除去することができ、それによって液体のｐＨを上昇させることができる。酸素は液体によって吸収され、硫黄化合物の酸化プロセス（ＳＯ４まで）に貢献する。
【００６２】
曝気プロセスは、分配器が曝気ステップに入る前の液体中のＣＯ２濃度を既に減少させているので、分配器によって改善される。したがって、曝気手段を活性化するためのエネルギーを削減することができる、つまりより少ない空気しか、処理された液体（海水）の同じ浄化の質を達成するために必要とされない。
【００６３】
新鮮な海水の追加はさらに、液体の全体的なｐＨを上昇させる。
【００６４】
スクラブ塔の中に、液体の入り口の下、かつ多くの場合には燃焼排ガスの入り口の下において配置される１つ以上の分配器という一般的な概念は、装置の別の設計によっても同様に実現することができる。
【００６５】
装置は、液体のためのさらなる後処理手段、例えば上述された曝気領域から距離をおいたさらなる曝気領域によって完成することができる。本発明による、スクラブ塔の中及び／又はスクラブ塔の下の優れた海水処理を考慮すると、さらなる後処理手段に対する必要性はより小さくなる。
【００６６】
本発明のさらなる特徴が従属請求項と、他の出願書類と、に記載されている。本発明は、適切な場合にはそれらの特徴の組み合わせを含み、除外されることはない。
【００６７】
本発明が以下に２つの例によって記載される。添付の図面は概略的に表されている。
【図面の簡単な説明】
【００６８】
【図１】本発明による装置の第１の実施形態の長手方向断面図である。
【図２】本発明による装置の第２の実施形態の長手方向断面図である。
【発明を実施するための形態】
【００６９】
図面の全体を通して、同様の機能を有する同じ構造要素は同じ符号によって特徴づけられている。
【００７０】
図１は円筒状のスクラバ塔１０を有する燃焼排ガス浄化装置の一部分を示している。このスクラバ塔は、燃焼排ガス入口１２を下部部分（端部）１０ｌに、燃焼排ガス出口１４を前記燃焼排ガス入口１２の上、すなわちスクラバ塔の上部部分１０ｕに備える。進入する燃焼排ガスの流れは矢印Ｆ１によって表され、一方、出ていく燃焼排ガスの流れは、矢印Ｆ２によって表されている。
【００７１】
後述により詳細に記載される流路５０から、新鮮な海水が、供給パイプ１６を介して、スクラブ塔１０の上部部分１０ｕの燃焼排ガス出口１４の下に水平断面に沿って配置されたスプレーノズル１８へポンプで汲みあげられる。
【００７２】
新鮮な海水は、前記ノズル１８を介して燃焼排ガスの流れの中へ下方にスプレーされ、この燃焼排ガスはスクラブ塔を上方に向かって、すなわち前記海水の液的に対して逆行する形で通過し、海水は燃焼排ガスを浄化するための吸収剤としての役割を果たしている。前記ノズル１８に向かう搬送方向は矢印Ｓ１によって示されており、前記ノズル１８を出る海水の吸収剤の流れ方向は、矢印Ｓ２によって表されている。
【００７３】
スクラブ塔１０に入る燃焼排ガスの強い流れによって、海水の吸収剤は（少なくとも部分的に）前記燃焼排ガスの入り口１２に対向するスクラバ塔１０の一部分に向かって押しやられる。言い換えると、スクラバ塔１０の断面全体に亘って前記ノズルによって放出された海水の液滴は、図１において符号１０ｐによって表された、燃焼排ガス入口１４に対向する領域に向かって下方にその経路を導かれ、一方で海水の対応する流れは矢印Ｓ３によって表されている。
【００７４】
スクラブ塔１０の下部部分１０ｌにおける海水は、符号１０ａによって表された吸収領域を通過した海水であり、したがって使用された海水と称される。使用された海水はスクラブ塔からその下端部において出る、すなわち液体の出口は液体の入り口から所定の距離、下に存在する。
【００７５】
燃焼排ガス入口１２の下において、スクラバ塔１０は分配器２０を設けられている。分配器２０は前記スクラバ塔１０の内側水平断面の全体に亘って延在しており、それによって海水の吸収剤（使用された海水）は、分配器２０に到達した際に、この分配器によって停止させられ、下方に向けられた流れを継続するとともに前記分配器２０の開口部（図示はされていないが、矢印Ｓ４によって表されている）を通じて分配器２０の下に配置された小さな槽３０の中に流れる前に、分配器２０の表面に沿って分散される。この小さな槽３０もまた、スクラブ塔１０の下部部分１０ｌの中に、すなわちスクラブ塔の一部分に配置することができる。
【００７６】
分配器２０によって、使用された海水の下方へ向かう経路の方向とは無関係に、使用された海水の吸収剤のほぼ均一な分配が生じる。分配器は可動な状態に配置され、振動軸受に支持されている。
【００７７】
槽３０は、使用された海水を一時的に収液し、底部領域３０ｂの全体に亘って、互いに所定の短い距離を離間して配置されている曝気装置３２によって使用された海水を曝気する。
【００７８】
曝気手段３２は前記槽３０を通じて下方に垂直に流れる液体に浸漬されている。
【００７９】
この空気処理の後、海水は槽３０を、この槽の透過性を有する底部３４を介して出て（矢印Ｓ５によって表される垂直な流れ方向を再度有して）、流路５０に入る。この底部３４は、分配器２０に対応して設計されているが、他の設計を有することもできる。海水が、望ましい量で、かつ均一な状態で、対応する開口部及び／又はパイプ（多数のパイプのうちの１つが符号３７によって示されている）によって槽３０から逃げることができることが重要である。これらパイプ３７は、流路５０内の液体の流れの中に突出している。
【００８０】
前記槽３０の中の、使用され、処理された（曝気された）海水の表面は、破線３６によって表されている。
【００８１】
いまや、流路５０の中を水平に流れている曝気された海水の表面（上部カバーはない）は、破線５６によって表されている。
【００８２】
流路５０は、海に戻される前の前記海水のための後処理装置（任意に設けられるものであり、よってさらに表示はされていない）まで延びている。
【００８３】
前記スクラブ塔１０及び槽３０それぞれの後ろには、中間部分５０ｂを通じる前の、第１の部分５０ｆから下へ第２の部分５０ｓまでの、前記流路５０に沿った新鮮な海水の連続的な流れがある。中間部分５０ｃにおいて、曝気され、処理された海水が加えられる。流路５０に沿った水平な海水の流れは矢印Ｃによって示されている。
【００８４】
この設計は、大幅に少ないエネルギー及び大幅に高められた効率で、使用された海水の曝気が前記槽３０内で均一に行われ、それによって新鮮な海水の流れが、曝気の前若しくは曝気の間に使用された海水と混合される。この新しい設計によれば、吸収剤の液体は、曝気処理の後にのみ、新鮮な海水と混合される。
【００８５】
小型のカラム４０が、底部３４と分配器２０との間に延在し、構造を支持する。完全な構造（槽３０を有するスクラブ塔１０）は小型の基礎４２上に建てられる。
【００８６】
図２は、上述のＡとして記述されたタイプの分配器２０を含むガス浄化装置の実施形態を示している。
【００８７】
分配器２０の上に配置された装置のすべての部分が、参照される図１の実施形態に従っている。
【００８８】
図２の分配器２０は、上面図（Ａ〜Ａ）に示されているように、長円形の部分２０Ａを切り取られた状態の円形状の固体の金属プレートから成る。分配器２０の表面積の合計は、この領域におけるスクラブ塔の対応する断面の約８０％に対応する。
【００８９】
分配器２０がその外側リムに沿ってスクラブ塔の内壁に固定されている場合には、長円形の切り取り部２０ａは液体の主流れ（領域１０ｐ）に対向する（図２における右側の）貫流開口部を提供し、それによって使用された液体は、この使用された液体が前記開口部２０ａを通過して収液タンク３０の中に流入する前に、分配器２０の傾斜面に沿って拡げられる。
【００９０】
代替形態においては、開口部２０ａはパイプの１つの解放端として設計することができ、このパイプは槽３０に向かって延在し、液面５６の上で終端するか、若しくは前記槽３０の中に液体を正確に供給するために槽３０内の液浴の中に侵入させてもよい。
【００９１】
言い換えると、液体の全流れは、前記分配器によって、流路５０の第１の部分５０ｆの近傍において収液タンク３０に進入させられる。
【００９２】
これは、使用された液体と新鮮な液体との一定な／確定した混合物が、前記流路の第２の部分５０ｓ（図２において左に表示されている）へ引き続いて流れる前に収液タンク３０の全体を前記流路５０の中間部分５０ｂ（スクラブ塔１０の下）に沿って通過させることを可能にするので、非常に重要である。これはまた、新鮮な液体と使用された液体とのこの混合物を、前記収液タンク３０内で非常に確定された方法で前記曝気手段３２を介した空気の導入によって処理することをも可能にする。これは図２において矢印Ｐによって表されており、収液タンク３０の水平方向直径（長さ）全体に亘って延在している。
【００９３】
流路５０中の新鮮な海水が収液領域３０に入るのを可能にするために、スクラブ塔１０には対応する第１の下部壁部３４ｆが設けられ、この第１の下部壁部３４ｆは前記液体に対して透過性を有する。同じタイプの透過性を有する壁部は、第１の壁部３４ａの反対側に、前記液体に対して透過性を有する第２の壁部３４ｓとして設置される。
【００９４】
曝気装置３２はタンク３０の底に配置され、この実施形態においてはタンク３０の底は流路５０ｂの底に対応している。
【符号の説明】
【００９５】
１０            スクラバ塔
１０ａ          接触領域
１２            燃焼排ガス入口
１４            燃焼排ガス出口
１８            液体入口
２０            分配器
２０ａ          貫流開口部
２６            貫流開口部
３０            収液槽
３２            曝気手段
３４            底壁
３４ｆ、３４ｓ  側壁
５０            流路
【図１】
0005923655.tif 000002
【図２】
0005923655.tif 000003